(57)【特許請求の範囲】
【請求項１】
印刷ユニット（１２）と、前記印刷ユニット（１２）の上に配置された原稿読取ユニット（１４）とから構成され、前記原稿読取ユニット（１４）の配置位置が変化することによって前記印刷ユニット（１２）の開放部（２０，２２）が露出する孔版印刷機（１０）の開閉機構であって、
前記原稿読取ユニット（１４）は、前記印刷ユニット（１２）の中央部（５０）を基準として前記印刷ユニット（１２）に対して相対的に左右両方向にスライド可能であり、
前記印刷ユニット（１２）は、前記原稿読取ユニット（１２）がスライドした方向とは逆の開放部（２０，２２）が露出するようになっており、
前記印刷ユニット（１２）と前記原稿読取ユニット（１４）とは、前記スライド方向に接離可能な一対のコネクタ（３０，３２）によって電気的に接続されており、
前記原稿読取ユニット（１４）は、
互いに接続しているコネクタ（３０，３２）が離れる一方向（Ａ）へスライドする時には、一対のコネクタ（３０，３２）の接続が解除されることによって、一方向（Ａ）へスライド可能となっているとともに、
コネクタ（３０，３２）が接合する他方向（Ｂ）へスライドする時には、前記一対のコネクタ（３０，３２）の連結が外されたあと、少なくとも一方のコネクタ（３０）が退避位置に移動することによって、他方向（Ｂ）へスライド可能となっていることを特徴とする孔版印刷機の開閉機構。
【請求項２】
前記一対のコネクタ（３０，３２）は、少なくとも一方が前記スライド方向と交わる方向に退避可能なベース板（２６，２８）に配設されており、前記他方向へのスライド時には、前記ベース板（２６）を退避位置に移動させることを特徴とする請求項１記載の孔版印刷機の開閉機構。
【請求項３】
前記印刷ユニットの開放部（２０，２２）は、前記一方向（Ａ）へスライドした場合は前記印刷機の消耗品（１６）の交換を目的としたスペース（２０）であり、前記他方向（Ｂ）へスライドした場合は、前記印刷機の管理スペース（２２）であることを特徴とする請求項１または２記載の孔版印刷機の開閉機構。
【請求項４】
前記原稿読取ユニット（１４）を前記印刷ユニット（１２）の中央位置において固着自在に固定するためのロック手段（４０）と、前記原稿読取ユニット（１４）が、前記印刷ユニット（１２）の中央位置に配置されていることを検出する検出手段（４８）とをさらに備え、
前記検出手段（４８）が前記原稿読取ユニット（１４）のスライド位置を検出するタイミングは、前記原稿読取ユニット（１４）が中央位置から左右いずれかの方向にスライドする場合おいては、前記ロック手段（４０）による前記原稿読取ユニット（１４）の固定解除及び前記一対のコネクタ（３０，３２）の接続解除よりも先に行なわれ、
前記原稿読取ユニット（１４）が左右いずれかの方向から中央位置にスライドする場合においては、前記ロック手段（４０）による前記原稿読取ユニット（１４）の固定及び前記一対のコネクタ（３０，３２）の接続よりも後に行なわれることを特徴とする請求項１〜３のいずれか１つに記載の孔版印刷機の開閉機構。
【発明の詳細な説明】
【０００１】
【発明の属する技術分野】
本発明は、孔版印刷機の開閉機構に関する。
【０００２】
【従来の技術】
従来、印刷機などに一般に配置されている原稿読取ユニットは、原稿読取ユニットの位置を移動させて、本体の内部を露出させることによって、たとえば、消耗品の取り換えや、サービスマンによるメンテナンスを行うことができるようになっていた。
【０００３】
例えば、図１０に示すタイプのものでは、印刷機８０は、印刷ユニット８１と原稿読取ユニット８２とで構成されており、両者は互いに一端において、ヒンジのように回動自在に固定されている。そして、例えば、消耗品である原紙ロール１６ｘを取り替えるときには、原稿読取ユニット８２を上方向に移動させ、その位置を保つためにダンパー８４にて、原稿読取ユニット８２が元の位置へ戻らないように係止していた。そして、原紙ロール１６ｘが収納されている、ユーザースペース２０ｘを開放させ、ユーザーが原紙ロール１６ｘを交換することができるようにしていた。
【０００４】
しかし、このタイプでは、ユーザーは、原稿読取ユニット８２が持ち上げられた狭い隙間から作業をすることが必要になる。そして、原紙ロール１６ｘの取り出し方向であるユーザースペース２０ｘの上方向には、原稿読取ユニットが存在しているため、原紙ロール取り出し等の操作が行いにくく、作業性に優れたものであるとはいえなかった。
【０００５】
また、図１１に示すタイプのものでは、印刷機８０は印刷ユニット８１と原稿読取ユニット８５から構成されており、原稿読取ユニット８５は印刷ユニットに対して、一方向にのみスライド可能であるように取り付けられている。そして、例えば、消耗品である原紙ロール１６ｘを取り替えるときは、原稿読取ユニット８５を矢印Ｃで示すように、右方向に移動させる。すると、原稿読取ユニット８５は、符号８５ａの位置まで移動して、原紙ロール１６ｘが収納されているユーザースペースが開放され、ユーザーが原紙ロール１６ｘを交換することができるようになっていた。
【０００６】
このタイプの印刷機では、原紙ロール１６ｘの取り出し方向である印刷ユニット８１に原稿読取ユニットが存在しないため、操作の便利性は向上する。しかし、通常、原稿読取ユニット８５と印刷ユニット８１は、信号の送受信のため、電気的に接続されていることが必要であり、原稿読取ユニット８５がスライドする場合には、両者をフレキシブルケーブルで接続するように構成されていた。この場合ケーブルは、原稿読取ユニットが移動する分だけの余裕を持って配設されることが必要であった。また、それぞれの配線は、原稿読取ユニットの横方向の動きにつれて稼動する部分が存在し（フレームに対して位置固定できない部分）、スライド動作の途中で損傷する危険性もある。また、長いケーブルで接続されることにより、外来ノイズに対する対策が困難になる。
【０００７】
また、例えば、印刷機の故障などで修理が必要となった場合、基板１８ｘを検査する必要がある場合、通常、この部分はユーザーが簡単に触れないように、消耗品交換のためのユーザースペース２０ｘとは別のスペースに基板を配置することが好ましい。よって、基板が配置されているスペースは、消耗品交換のためのスペースとは別に設けられ、印刷ユニット８１の壁などにビス止めされた外装部品であるカバーを取り外すことにより、基板１８ｘを開放させるようになっている。しかし、この構成では、ユーザースペースとは別にメンテナンス用のスペースのために印刷ユニットに密閉した空間を作るように印刷機の内部構造を配置させなければならず、製造時においても使用時においても煩雑なものであった。
【０００８】
【発明が解決しようとする課題】
したがって、本発明が解決しようとする技術的課題は、容易に広いスペースを開放することができ、配線の処理が容易である孔版印刷機の開閉機構を提供することである。
【０００９】
【課題を解決するための手段および作用・効果】
本発明は、上記技術的課題を解決するために、以下の構成の孔版印刷機の開閉機構を提供する。
【００１０】
開閉機構は、印刷ユニットと、前記印刷ユニットの上に配置された原稿読取ユニットとから構成される孔版印刷機についてのものであって、前記原稿読取ユニットの配置位置が変化することによって前記印刷ユニットの開放部が露出するものである。そして、前記原稿読取ユニットは、前記印刷ユニットの中央部を基準として前記印刷ユニットに対して相対的に左右両方向にスライド可能であり、前記スライドした方向とは逆の前記印刷ユニットの開放部が露出することを特徴とする。
【００１１】
上記構成において、例えば、原稿読取ユニットはコロを有し、印刷ユニットに設けられたガイドレールに沿って移動できるようにすることによって、原稿読取ユニットを印刷ユニットに対して相対的に左右両方向にスライド可能に設けることができる。また、印刷ユニットの中央部を基準として左右両方向に原稿読取ユニットがスライドすることにより、例えば、原稿読取ユニットが右方向に移動したときは、印刷ユニット左側の内部スペースが露出するとともに、原稿読取ユニットが左方向に移動したときは、印刷ユニット右側の内部スペースが露出するように移動方向とは逆の内部スペースが開放される。なお、原稿読取ユニットのスライドする幅は、目的に応じて適宜調整することができる。
【００１２】
上記構成によれば、本体内部を容易に開放することができ、また、開放部のスペースを広く取ることができる。したがって、容易に広いスペースを開放することができる。
【００１３】
本発明の孔版印刷機の開閉構造は、具体的には以下のように種々の態様で構成することができる。
【００１４】
好ましくは、前記印刷ユニットと前記原稿読取ユニットとは、前記スライド方向に接離可能な一対のコネクタによって電気的に接続されており、前記原稿読取ユニットは、接続しているコネクタが離れる一方向へスライドする時には、一対のコネクタの接続が解除されることによって一方向にスライド可能となっているとともに、コネクタが接合する他方向へスライドする時には、前記一対のコネクタの連結が外されたあと、少なくとも一方のコネクタが退避位置に移動することによって、他方向へスライド可能となっている。
【００１５】
上記構成において、一対のコネクタは、その接合面が原稿読取ユニットのスライド方向と略平行に対向するように設けられており、原稿読取ユニットがスライドすることによって、個々のコネクタが離接するように設けられる。そして、原稿読取ユニットが印刷ユニットに対して接続しているコネクタが離れる方向である一方向へスライドすることによって、コネクタの接続がはずれ、原稿読取ユニットのスライドが可能となる一方、コネクタが接合する方向である他方向へのスライドに原稿読取ユニットがスライドする場合は、コネクタの一方が退避位置に移動することによって、他方向へのスライドも可能となる。
【００１６】
上記構成によれば、原稿読取ユニットを他方向に移動させる場合にも、一方のコネクタを退避させることにより原稿読取ユニットを左右にスライドさせることが可能となる。また、原稿読取ユニットと印刷ユニットの略中央部を基準として左右いっぱいまで原稿読取ユニットを移動させる場合においても、原稿読取ユニットと印刷ユニットとをつなぐ配線は必要最小限にとどめることができ、また、その際それぞれの配線は大略各フレームに対して固定できるため、外来ノイズに対する対策を簡易とすることができる。したがって、左右方向に容易に広いスペースを開放することができる。
【００１７】
好ましくは、前記一対のコネクタは、少なくとも一方が前記スライド方向と交わる方向に退避可能なベース板に配設されており、前記他方へのスライド時には、前記ベース板を退避位置に移動させる。
【００１８】
上記構成において、ベース板は、一方のコネクタを固定するものであり、原稿読取ユニットがスライドする方向に対して、交わる方向、好ましくは、直行方向に移動して退避可能に構成されている。そして、原稿読取ユニットのスライドに伴って他方のコネクタが進退する空間の外側に退避位置が設けられており、原稿読取ユニットを他方向へスライドさせるとき、コネクタは、退避位置にあるベース板と接触しないように構成される。
【００１９】
上記構成によれば、一方のコネクタを容易に退避位置に移動させることができ、原稿読取ユニットを左右にスライドさせることが可能となる。したがって、左右方向に容易に広いスペースを開放することができる。
【００２０】
好ましくは、前記印刷ユニットの開放部は、前記一方向へスライドした場合は前記印刷機の消耗品の交換を目的としたユーザースペースであり、前記他方向へスライドした場合は、前記印刷機の管理スペースである。
【００２１】
上記構成において、一方向へスライドさせる場合は、コネクタが外れる方向へ原稿読取ユニットが移動するため、容易に原稿読取ユニットを移動させて内部スペースを露出させることができる一方、他方向へ原稿読取ユニットを移動させる場合は、一度一方向へ原稿読取ユニットを移動させ、一方のコネクタを退避位置に持ってくる必要があることから内部スペースを開放するのに複雑な工程を必要とする。したがって、原稿読取ユニットを一方向へ移動させた場合は、ユーザーが消耗品の交換を目的としたスペースとする一方、他方向へ移動させた場合には、例えば、故障時やメンテナンス時に検査する回路基板などを配備して、サービスマンなどによる管理スペースとすることが好ましい。
【００２２】
上記構成によれば、内部スペースを用意に開放させることができるスペースについては、消耗品交換を目的とするスペースとすることが好ましく、また、管理スペースについても本体の外装部品を取り外す等の手間を省くことができ、メンテナンスの時間を短縮させることができる。また、上記のように、上下ユニット間をつなぐコネクタにおいての接続及び接続解除が容易であるため上下ユニットを容易に分離できる。
【００２３】
好ましくは、前記原稿読取ユニットを前記印刷ユニットの中央位置において固着自在に固定するためのロック手段と、前記原稿読取ユニットが、前記印刷ユニットの中央位置に配置されていることを検出する検出手段とをさらに備え、前記検出手段が前記原稿読取ユニットのスライド位置を検出するタイミングは、前記原稿読取ユニットが中央位置から左右いずれかの方向にスライドする場合おいては、前記ロック手段による前記原稿読取ユニットの固定解除及び前記一対のコネクタの接続解除よりも先に行なわれ、前記原稿読取ユニットが左右いずれかの方向から中央位置にスライドする場合においては、前記ロック手段による前記原稿読取ユニットの固定及び前記一対のコネクタ（３０，３２）の接続よりも後に行なわれる。
【００２４】
上記構成によれば、電気的な一対のコネクタの結合解除タイミングより先に検出手段によって原稿読取ユニットが中央位置に存在しないことの検出を行うことができる。よって、前記コネクタの結合状態が不十分で電気信号が不安定な状態時において、誤って製版動作を開始する信号などが入力された場合でも操作パネル上に警告メッセージ表示、及び動作開始禁止処理などを行なうことにより誤動作を防ぐことができる。
【００２５】
【発明の実施の形態】
以下、本発明の一実施形態に係る印刷機について、図面を参照しながら説明する。
【００２６】
図１は本発明の第１実施形態にかかる孔版印刷機の断面概略図である。孔版印刷機１０は、印刷ユニット１２と、印刷ユニット１２の上に配置された原稿読取ユニット１４とで構成されている。
【００２７】
原稿読取ユニット１４は、例えば、光学スキャナのような処理を行って印刷原稿を読み取り、印刷ユニット１２に読み取った印刷原稿情報を送信する。印刷ユニット１２は、受信した印刷原稿情報を元に印刷ユニット１２に格納されている原紙ロール１６を用いて印刷用原紙を作成する。そして、図示しない印刷ドラムの周囲に印刷原紙を貼付し、ドラムを回転させながら印刷用紙を給紙口から給紙し、用紙が印刷ドラムの下を通過するタイミングで印刷ドラムに押し付け、排紙口から印刷済みの用紙を排出する。印刷ユニット１２と原稿読取ユニット１４との間には、一対のコネクタ２４が設けられており、コネクタを通して信号を交信することができる。
【００２８】
原稿読取ユニット１４は、コロ１５を有し、印刷ユニット１２に設けられたガイドレール１７上をコロ１５が回転しながら移動することにより、印刷ユニット１２に対して、スライド可能に設けられている。原稿読取ユニット１４は、印刷機１０の中央線５０に対して左右両方向にスライドすることができる。そして、例えば、矢印Ａで示されるように図１において右方向に移動した場合、原稿読取ユニット１４は符号１４ａの位置に移動する。一方、矢印Ｂで示されるように左方向へ移動した場合は、符号１４ｂの位置へ移動する。
【００２９】
一対のコネクタ２４は、それぞれが印刷ユニット１２と原稿読取ユニット１４にそれぞれ固定されている。個々のコネクタは、図４に示すように印刷ユニット及び原稿読取ユニット１４にそれぞれベース板２６，２８が設けられ、２つのベース板２６，２８の対向する面にコネクタ端子３０，３２がそれぞれ設けられている。２つのコネクタ端子３０，３２は、原稿読取ユニット１４の移動方向に略平行方向に離接可能となっている。すなわち、例えば、両者が連結している状態でコネクタ端子３０を固定し、コネクタ端子３２を矢印Ａで示す右方向に移動させると連結が外れ、互いに対向した２つのコネクタ端子のうち、コネクタ端子３０を固定してコネクタ端子３２を矢印Ｂで示す左方向に移動させると両者が連結する。
【００３０】
コネクタ端子３０，３２は、原稿読取ユニット１４が通常位置である印刷ユニット１２の中央部５０に位置するときは、それぞれ連結し、印刷ユニット１２と原稿読取ユニット１４との間の更新ができるように構成されている。そして、原稿読取ユニット１４が矢印Ａで示すように右方向へスライドすると、ベース板２６は印刷ユニットに固定されているため、コネクタ端子３０は固定される一方、ベース板２８が原稿読取ユニット１４に固定されているため、コネクタ端子３２も原稿読取ユニット１４とともに右方向へ移動するため、両者の連結が外れるようになっている。
【００３１】
図２は、図１に示す孔版印刷機の原稿読取ユニットが右方向へ移動した状態を示す図である。この状態では、原稿読取ユニット１４が右方向へ移動しており、原稿読取ユニットの左側のユーザースペース２０が開放され、外部に露出した状態になっている。ユーザースペース２０は、主に消耗品の交換のために設けられるスペースであり、本実施形態では、印刷部で用いられる原紙ロール１６の取り換えに用いられる。ユーザースペース２０内に配設された原紙ロール１６は、印刷を継続することによって消耗し、ロールに巻かれた所定量を消費すると、印刷の続行が困難となるため、ロールの交換を必要とする。この場合に、原稿読取ユニット１４を右方向へスライドさせ、ユーザースペース２０を露出させて原紙ロールの取り換えを行う。
【００３２】
このように、原紙ロールの取り換えは、印刷機の駆動時に必要に応じてユーザー自らが行うものであり、容易にその収納スペースを開放できるものであることが好ましい。したがって、本実施形態では、原稿読取ユニットを右方向に移動させる場合は、コネクタ端子１４が容易に外れるため、印刷ユニット１２の左側の内部スペースをユーザースペースとしている。
【００３３】
図３は、図１に示す孔版印刷機の原稿読取ユニットが左方向へ移動した状態を示す図である。この状態では、原稿読取ユニット１４が左方向へ移動しており、原稿読取ユニットの右側の管理スペース２２が開放され、外部に露出した状態になっている。管理スペース２２は、主に孔版印刷機１０の故障やメンテナンス時に、サービスマンが検査や修理のために用いる空間であり、中には、メイン回路基板１８が収められている。したがって、一般使用時にユーザーが自由に開放できないように、ユーザースペースの露出開放とは異なる手順で開放するようにすることが好ましい。本実施形態においては、コネクタを退避位置に移動させることによって、ユーザースペースを開放するのとは異なる手順で管理スペースを開放するようにしている。
【００３４】
すなわち、原稿読取ユニット１４が矢印Ｂで示されるような左方向への移動は、コネクタ端子３０，３２も互いに接触するような方向に移動することとなるため、コネクタ２４がそのままの状態では、互いにぶつかり合い、原稿読取ユニット１４を左方向に移動させることができない。
【００３５】
本実施形態においては、印刷ユニット１２側のコネクタ３０を矢印５２に示すように下方向に移動させることによって、コネクタ同士のぶつかり合いを回避する。印刷ユニット１２側のコネクタ端子３０は、符号２４ａに示すように、下方向に退避位置まで移動し、原稿読取ユニット１４側のコネクタ端子３２は、その上を通過して、印刷ユニット１２の左側にまで移動する。
【００３６】
印刷ユニット１２側のコネクタ３０を退避位置に移動させるには、固定されているベース板２６とともに退避位置に移動させることによって行なう。すなわち、図５に示すように、ベース板２６は、中央にコネクタ端子３０を備えており、その両端にＬ字形状の長穴３４を有している。そして、それぞれの長穴３４には、ビス３６が設けられており、これが図示しない印刷ユニット１２のフレームとの間で螺合されている。ビス３６が固く締められている間は、ベース板２６は印刷ユニット１２にしっかりと固定されており、ビス３６が緩められると、ベース板は、長穴３４に沿って、その位置を移動することができる。
【００３７】
したがって、原稿読取ユニット１４を矢印Ｂで示すように左方向に移動させるには、まず、矢印Ａで示す右方向へ原稿読取ユニット１４を一時的に移動させ、コネクタ端子同士の連結を外した後、ビス３６を緩めることによって印刷ユニット１２のフレームに螺合しているベース板を矢印５４で示す方向に移動させた後、矢印５６で示す方向に移動させることによってコネクタ端子３０を退避位置に移動させる。その後、原稿読取ユニット１４を矢印Ｂで示す方向にいっぱいまで移動させればよい。
【００３８】
このように、本実施形態では、一般使用時にユーザーが自由に開放できないように、ユーザースペースの開放とは異なる手順で開放するようにしている。また、原稿読取ユニット１４は、印刷ユニット１２の上端に設けられたガイドレール１７上を、原稿読取ユニット１４に設けられたコロ１５が回転して移動することによってスライドを容易にすることができるとともに、上下のユニットを接続するコネクタ端子３０，３２の接続及び接続解除を容易に行なうことができるため、上下のユニットを容易に分離することができ、例えば、孔版印刷機のメンテナンスなどにおいて処理を簡単にすることができる。
【００３９】
図６に本発明の第２実施形態にかかる孔版印刷機の構成を示す。この孔版印刷機は、図１に示す孔版印刷機と大略同じ構成をしているが、原稿読取ユニット１４を印刷ユニットの中央位置において開放自在に固定する固定ユニット４０と、原稿読取ユニット１４が印刷ユニット１２に対して中央位置に位置しているか否かを検出する位置検出装置４８とを備えている点において異なる。
【００４０】
固定ユニット４０は、原稿読取ユニット１４の下方に固定されている板金４２と、印刷ユニット１２に固定され板金４２を固定するロック部材４４と、ロック部材４４を操作し、板金４２とロック部材４４との固定解除を行なう解除スイッチ４６とから構成される。
【００４１】
図６に示すように原稿読取ユニット１４が印刷ユニット１２の中央位置に存在する場合は、板金４２とロック部材４４とが係合し、結果として原稿読取ユニット１４が印刷ユニット１２に対して固定される。図７及び図８に示すように、解除スイッチ４６を押しながら矢印５８，５９に示す方向に原稿読取ユニット１４を押すと、板金４２とロック部材４４との係合が外れ、原稿読取ユニット１４は印刷ユニット１２に対して左右にスライドすることができる。
【００４２】
位置検出装置４８は固定ユニット４０の近傍に設けられたフォトインタラプタなどで構成されており、板金４２がロック部材４４に固定されているか否か、すなわち、原稿読取ユニット１４が印刷ユニット１２の中央位置に位置しているか又は左右どちらかの方向にスライドしているかを検出する。検出のタイミングは、前記原稿読取ユニット１４が中央位置から左右いずれかの方向にスライドする場合おいては、固定部材４０による原稿読取ユニットの固定解除及びコネクタ３０，３２の接続解除よりも先に行なわれ、原稿読取ユニット１４が左右いずれかの方向から中央位置にスライドする場合においては、固定部材による原稿読取ユニット１４の固定及びコネクタ３０，３２の接続よりも後に行なわれるようになされており、例えば、コネクタ３０，３２の結合状態が不十分で電気信号が不安定な状態時に、誤って製版動作を開始する信号などが入力された場合であっても、例えば、図示しない操作パネル上に警告メッセージを表示したり動作開始を禁止する処理をおこなうことにより誤動作を防ぐことができる。
【００４３】
図９に固定ユニット４０の構造を示す。固定ユニット４０は、上述のように板金４２とロック部材４４と解除スイッチ４６とから構成される。板金４２は、一端が孔版印刷機の原稿読取ユニット１４に固定されており、その他端には円盤状のコロ４２ａが設けられている。コロ４２ａは、板金４２に対して軸支されており、自由に回転することができる。
【００４４】
ロック部材４４は、バネ４４ｂで上方向に付勢され、矢印６２に示すように上下方向に移動可能に印刷ユニット１２に固定される。ロック部材の上端には、凹部４４ｃが設けられており、板金４２のコロ４２ａと嵌合することによって両者を固定するようになっている。ロック部材には長穴４４ａが設けられており、この長穴４４ａに嵌入された解除スイッチ４６のピン部材４６ｂにより解除スイッチ４６の動作が伝達されるように構成されている。
【００４５】
解除スイッチ４６は鍵状に折り曲げられた棒状の部材であり、支持ポイント４６ａによって回転自在に１点支持されている。解除スイッチ４６を矢印６４に示すように押すと、支持ポイント４６ａを中心として解除スイッチ４６全体が回転し、ロック部材４４に設けられた長穴に嵌入されたピン４６ｂがロック部材４４を下方向に移動させる。よって、板金４２のコロ４２ａとロック部材４４の凹部４４ｃの嵌合が外れ、矢印５８，６０に示すように板金４２の移動が可能となる。
【００４６】
以上説明したように、本実施形態の孔版印刷機は、原稿読取ユニットを左右両方向にスライドさせることによって、印刷ユニットの内部スペースを容易に広く解放することができ、また、配線の処理も容易である。
【００４７】
なお、本発明は上記実施形態に限定されるものではなく、その他種々の態様で実施可能である。例えば、孔版印刷機だけでなく、例えば、コピー機など上下ユニットに分けられる装置に広く用いることができる。
【図面の簡単な説明】
【図１】本発明の第１実施形態にかかる印刷機の断面概略図である。
【図２】図１に示す孔版印刷機の原稿読取ユニットが右方向へ移動した状態を示す図である。
【図３】図１に示す孔版印刷機の原稿読取ユニットが左方向へ移動した状態を示す図である。
【図４】コネクタ部の構造を示す概略図である。
【図５】ベース板の構造を示す概略図である。
【図６】本発明の第２実施形態にかかる孔版印刷機の断面概略図である。
【図７】図６に示す孔版印刷機の原稿読取ユニットが左方向へ移動した状態を示す図である。
【図８】図６に示す孔版印刷機の原稿読取ユニットが右方向へ移動した状態を示す図である。
【図９】固定ユニットの構造を示す概略図である。
【図１０】ユーザー領域を開放した状態にある従来の印刷機を示す概略図である。
【図１１】ユーザー領域を開放した状態にある他の例の従来の印刷機を示す概略図である。
【符号の説明】
１０  孔版印刷機
１２  印刷ユニット
１４  原稿読取ユニット
１５  コロ
１６  原紙ロール
１７  ガイドレール
１８  回路基板
２０  ユーザースペース（開放部）
２２  管理スペース（開放部）
２４  一対のコネクタ
２６，２８  ベース板
３０，３２  コネクタ端子
３４  長穴
３６  ビス
４０  固定ユニット
４２  板金
４４  ロック部材
４６  解除スイッチ
４８  位置検出装置
【図１】
0004738651.tif 000002
【図２】
0004738651.tif 000003
【図３】
0004738651.tif 000004
【図４】
0004738651.tif 000005
【図５】
0004738651.tif 000006
【図６】
0004738651.tif 000007
【図７】
0004738651.tif 000008
【図８】
0004738651.tif 000009
【図９】
0004738651.tif 000010
【図１０】
0004738651.tif 000011
【図１１】
0004738651.tif 000012